(57)【要約】【課題】電力管理装置と、電力管理装置に接続される機器との間の通信のトラフィックを低減する。【解決手段】本発明に係る電力管理装置１０は、需要家内に設けられた電気機器の動作を管理する電力管理装置１０であって、電気機器に対する設定変更命令を送信し、電気機器から設定情報を取得する通信部１１０と、通信部１１０による設定変更命令の送信の後、所定時間経過してから通信部１１０に設定情報の取得を行わせる制御部１２０と、を備え、所定時間は、過去に設定変更命令を送信してから設定変更が反映された設定情報が取得されるまでの時間間隔の実績に基づく値である。【選択図】図１
2016010196.tif 000002
【特許請求の範囲】
【請求項１】
需要家内に設けられた電気機器の動作を管理する電力管理装置であって、
前記電気機器に対する設定変更命令を送信し、前記電気機器から当該電気機器の設定情報を取得する通信部と、
前記通信部による前記設定変更命令の送信の後、所定時間経過してから前記通信部に設定情報の取得を行わせる制御部と、を備え、
前記所定時間は、過去に設定変更命令を送信してから当該設定変更が反映された設定情報が取得されるまでの時間間隔の実績に基づく値であることを特徴とする電力管理装置。
【請求項２】
請求項１に記載の電力管理装置であって、前記制御部は、動作設定モード時に又は定期的に、前記時間間隔を測定して前記所定時間を更新することを特徴とする電力管理装置。
【請求項３】
請求項１又は２に記載の電力管理装置であって、
前記電力管理装置は複数の前記電気機器の動作を管理し、
前記所定時間は、前記電気機器毎に異なる値であることを特徴とする電力管理装置。
【請求項４】
請求項１から３のいずれか一項に記載の電力管理装置であって、前記所定時間は、前記電気機器の状態毎に異なる値であることを特徴とする電力管理装置。
【請求項５】
請求項１から４のいずれか一項に記載の電力管理装置であって、前記所定時間は、複数回の前記時間間隔の平均値であることを特徴とする電力管理装置。
【請求項６】
請求項１から５のいずれか一項に記載の電力管理装置であって、前記通信部はＥＣＨＯＮＥＴ  Ｌｉｔｅの通信規格に準拠して前記電気機器と通信を行うことを特徴とする電力管理装置。
【請求項７】
請求項６に記載の電力管理装置であって、前記設定変更命令はＥＣＨＯＮＥＴ  Ｌｉｔｅにおける「ＳＥＴ」コマンドであり、前記設定情報を取得する命令はＥＣＨＯＮＥＴ  Ｌｉｔｅにおける「ＧＥＴ」コマンドであることを特徴とする電力管理装置。
【請求項８】
需要家内に設けられた電気機器の動作を管理する電力管理装置における通信制御方法であって、
前記電気機器に対する設定変更命令を送信する送信ステップと、
前記送信ステップの後、所定時間経過してから、前記電気機器から当該電気機器の設定情報を取得する取得ステップと、を含み、
前記所定時間は、過去に設定変更命令を送信してから当該設定変更が反映された設定情報が取得されるまでの時間間隔の実績に基づく値であることを特徴とする通信制御方法。
【発明の詳細な説明】
【技術分野】
【０００１】
本発明は、電力管理装置及び通信制御方法に関するものである。
【背景技術】
【０００２】
近年、電力需要家ごとに電力管理装置（例えば、ＨＥＭＳ：Ｈｏｍｅ  Ｅｎｅｒｇｙ  Ｍａｎａｇｅｍｅｎｔ  Ｓｙｓｔｅｍ）を設置し、負荷機器や分散電源などを制御する技術が普及してきている（例えば、特許文献１参照）。
【先行技術文献】
【特許文献】
【０００３】
【特許文献１】特開２００３−３０９９２８号公報
【発明の概要】
【発明が解決しようとする課題】
【０００４】
近年、電力管理装置に接続される機器の台数は増加する傾向がある。また、電力管理装置による各種機器の制御内容は緻密化する傾向がある。その結果、電力管理装置から各種機器へのポーリング回数などが増加して、電力管理装置と各種機器との間のトラフィックが増大して混雑化する傾向があった。
【０００５】
かかる点に鑑みてなされた本発明の目的は、電力管理装置と、電力管理装置に接続される機器との間の通信のトラフィックを低減することができる電力管理装置及び通信制御方法を提供することにある。
【課題を解決するための手段】
【０００６】
上記課題を解決するため、本発明に係る電力管理装置は、需要家内に設けられた電気機器の動作を管理する電力管理装置であって、前記電気機器に対する設定変更命令を送信し、前記電気機器から当該電気機器の設定情報を取得する通信部と、前記通信部による前記設定変更命令の送信の後、所定時間経過してから前記通信部に設定情報の取得を行わせる制御部と、を備え、前記所定時間は、過去に設定変更命令を送信してから当該設定変更が反映された設定情報が取得されるまでの時間間隔の実績に基づく値であることを特徴とする。
【０００７】
また、本発明に係る電力管理装置において、前記制御部は、動作設定モード時に又は定期的に、前記時間間隔を測定して前記所定時間を更新することが好ましい。
【０００８】
また、本発明に係る電力管理装置において、前記電力管理装置は複数の前記電気機器の動作を管理し、前記所定時間は、前記電気機器毎に異なる値であることが好ましい。
【０００９】
また、本発明に係る電力管理装置において、前記所定時間は、前記電気機器の状態毎に異なる値であることが好ましい。
【００１０】
また、本発明に係る電力管理装置において、前記所定時間は、複数回の前記時間間隔の平均値であることが好ましい。
【００１１】
また、本発明に係る電力管理装置において、前記通信部はＥＣＨＯＮＥＴ  Ｌｉｔｅの通信規格に準拠して前記電気機器と通信を行うことが好ましい。
【００１２】
また、本発明に係る電力管理装置において、前記設定変更命令はＥＣＨＯＮＥＴ  Ｌｉｔｅにおける「ＳＥＴ」コマンドであり、前記設定情報を取得する命令はＥＣＨＯＮＥＴ  Ｌｉｔｅにおける「ＧＥＴ」コマンドであることが好ましい。
【００１３】
また、上記課題を解決するため、本発明に係る通信制御方法は、需要家内に設けられた電気機器の動作を管理する電力管理装置における通信制御方法であって、前記電気機器に対する設定変更命令を送信する送信ステップと、前記送信ステップの後、所定時間経過してから、前記電気機器から当該電気機器の設定情報を取得する取得ステップと、を含み、前記所定時間は、過去に設定変更命令を送信してから当該設定変更が反映された設定情報が取得されるまでの時間間隔の実績に基づく値であることを特徴とする。
【発明の効果】
【００１４】
本発明に係る電力管理装置及び通信制御方法によれば、電力管理装置と、電力管理装置に接続される機器との間の通信のトラフィックを低減することができる。
【図面の簡単な説明】
【００１５】
【図１】本発明の一実施形態に係る電力管理装置が各種電気機器に接続されている様子の一例を示す図である。
【図２】本発明の一実施形態に係る電力管理装置が記憶している設定変更命令応答時間及び情報取得可能時間の一例を示す図である。
【図３】電源投入時における情報取得応答時間を電力管理装置が測定する様子を示す図である。
【図４】電力管理装置が、設定変更命令応答時間及び情報取得可能時間を測定する第１の例を示す図である。
【図５】電力管理装置が、設定変更命令応答時間及び情報取得可能時間を測定する第２の例を示す図である。
【図６】電力管理装置が、設定変更命令応答時間及び情報取得可能時間を測定する第３の例を示す図である。
【図７】本発明の一実施形態に係る電力管理装置の動作の一例を示すフローチャートである。
【図８】本発明の一実施形態に係る電力管理装置が、さらに情報端末に接続されている様子を示すである。
【発明を実施するための形態】
【００１６】
以下、本発明に係る実施形態について、図面を参照して説明する。
【００１７】
図１は、本発明の一実施形態に係る電力管理装置１０が各種電気機器に接続されている様子の一例を示す図である。
【００１８】
図１に示す例においては、電力管理装置１０は、分電盤２０、分散電源（太陽光発電装置３１、燃料電池装置３２）、及び負荷機器（エアコン４１、床暖房装置４２、照明装置４３）などの電気機器に接続されている。電力管理装置１０は、例えば家庭内などのような需要家内に設けられており、接続されている電気機器を管理する。なお、図１に示した電気機器はあくまで一例であり、その他の電気機器が電力管理装置１０に接続されていてもよいし、図１に示した電気機器が電力管理装置１０に接続されていなくてもよい。電力管理装置１０に接続される電気機器は、電力関連の電気機器に限るものではなく、例えば、ガスメータや水道センサなどが電力管理装置１０に接続されていてもよい。
【００１９】
電力管理装置１０と各種電気機器とは、例えば有線又は無線ＬＡＮ（Local Area Network）によって接続されている。電力管理装置１０は、電気機器と所定の通信規格により通信可能である。電力管理装置１０は、所定の通信規格として、例えばＥＣＨＯＮＥＴ  Ｌｉｔｅ（登録商標）の通信規格に準拠して電気機器と通信を行うことができる。
【００２０】
電力管理装置１０は、通信部１１０、制御部１２０及び記憶部１３０を備える。
【００２１】
通信部１１０は、所定の通信規格により、電気機器と通信を行う。通信部１１０は、電気機器の設定を変更する際、電気機器に設定変更命令を送信する。電気機器は、通信部１１０から設定変更命令を受信すると、当該設定変更命令に基づいて、電気機器の設定を変更する。また、通信部１１０は、電気機器から、当該電気機器の現在の設定情報を取得する。例えば、電力管理装置１０と電気機器とがＥＣＨＯＮＥＴ  Ｌｉｔｅの通信規格に準拠して通信を行う場合、設定変更命令は、ＥＣＨＯＮＥＴ  Ｌｉｔｅにおける「ＳＥＴ」コマンドであり、設定情報を取得する命令は、ＥＣＨＯＮＥＴ  Ｌｉｔｅにおける「ＧＥＴ」コマンドである。
【００２２】
制御部１２０は、電力管理装置１０全体を制御及び管理するものであり、例えばプロセッサにより構成することができる。
【００２３】
制御部１２０は、通信部１１０を介して電気機器に設定変更命令を送信すると、設定変更が実行されたことを確認するため、所定時間経過した後に、通信部１１０に、電気機器からの設定情報の取得を行わせる。当該所定時間は、電気機器が電力管理装置１０から設定変更命令を受信してから、当該設定変更命令に基づく設定変更を完了し、電力管理装置１０からの設定情報取得の命令に対し、設定変更が反映された情報を送信可能となるまでの時間間隔（以後「情報取得可能時間」とも称する）に基づいて定められた値である。所定時間は、電気機器毎及び電気機器の状態毎に異なる値である。所定時間は、情報取得可能時間と同じ長さの時間か、情報取得可能時間よりも長い時間である。情報取得可能時間は、制御部１２０が、過去に電気機器に設定変更命令を送信してから当該設定変更が反映された設定情報が取得されるまでの時間間隔を測定した実績に基づく値である。
【００２４】
制御部１２０は、動作設定モード時に又は定期的に、情報取得可能時間を測定し、更新した値を記憶部１３０に記憶している。制御部１２０は、情報取得可能時間に基づいて、電気機器に設定変更命令を送信してから、電気機器に設定情報取得命令を送信するまでの所定の時間を自動的に設定する。情報取得可能時間の測定の例については後述する。
【００２５】
記憶部１３０は、上述の情報取得可能時間、及び、電気機器が設定変更命令を受信してから電力管理装置１０に応答を返すまでの時間（以後、「設定変更命令応答時間」とも称する）を、電気機器毎及び電気機器の状態毎に記憶している。ここで、電気機器の状態とは、例えば、アイドル中、動作中、エラー中などである。また、記憶部１３０は、電源投入時において、電気機器が設定情報取得命令を受信してから応答を返すまでの時間（以後、「情報取得応答時間」とも称する）も記憶している。
【００２６】
図２に、記憶部１３０が記憶している、電源投入時における情報取得応答時間、アイドル中／動作中／エラー中のそれぞれにおける設定変更命令応答時間及び情報取得可能時間の一例を示す。図２に示す例においては、記憶部１３０は、３種類の電気機器（電気機器Ａ〜電気機器Ｃ）に関する情報を記憶している。図２に示すように、電気機器毎及び電気機器の状態毎に、情報取得可能時間の値は異なる。
【００２７】
図３は、電源投入時における情報取得応答時間を測定する様子を示す図である。図３は、電力管理装置１０に接続されたエアコン４１の情報取得応答時間を測定する場合の例である。電力管理装置１０は、エアコン４１の電源ＯＮ直後に、例えば設定温度情報を取得するための設定情報取得命令をエアコン４１に送信する。電力管理装置１０は、設定情報取得命令への応答として、例えば、設定温度が２５℃であるとの情報をエアコン４１から受信すると、設定情報取得命令の送信から応答の受信までに要した時間を情報取得応答時間として記憶部１３０に記憶する。図２の例を参照すると、電気機器Ａ、電気機器Ｂ及び電気機器Ｃの情報取得応答時間は、それぞれ、１０秒、５秒及び２０秒である。
【００２８】
以後、図４〜図６を参照して、電力管理装置１０が、動作設定モード時に又は定期的に、設定変更命令応答時間及び情報取得可能時間を測定する様子を説明する。電力管理装置１０からの設定変更命令に対してどのようなタイミングで応答するかは電気機器の種類やメーカなどによって異なる。例えば、図２は、電気機器Ａ〜電気機器Ｃの３つの例を示している。
【００２９】
電気機器Ａは第１の例であり、電気機器Ａは、電力管理装置１０から設定変更要求を受信すると、設定変更動作（実動作）を開始する前に、応答を電力管理装置１０に返し、その後、設定変更動作を開始する。
【００３０】
電気機器Ｂは第２の例であり、電気機器Ｂは、電力管理装置１０から設定変更要求を受信すると、応答を返す前に設定変更動作を開始する。電気機器Ｂは、設定変更動作が完了すると、応答を電力管理装置１０に返す。
【００３１】
電気機器Ｃは第３の例であり、電気機器Ｃは、電力管理装置１０から設定変更要求を受信すると、応答を返す前に設定変更動作を開始する。電気機器Ｃは、設定変更動作が完了する前の設定変更動作中に、応答を電力管理装置１０に返す。
【００３２】
図４は、第１の例（電気機器Ａ）における設定変更命令応答時間及び情報取得可能時間を測定する様子を示す図である。図４においては、電気機器Ａがエアコン４１である場合を例として説明する。
【００３３】
電力管理装置１０は、まず、現状の設定状態を取得するためエアコン４１に対して設定情報取得命令を送信する。例えば、電力管理装置１０は、エアコン４１に対し、設定温度の情報を要求する（Ｓ１０１）。エアコン４１は、電力管理装置１０からの設定情報取得命令に対し、応答を返す。例えば、エアコン４１は、電力管理装置１０に対し、設定温度が「２５℃」であるとの情報を送信する（Ｓ１０２）。
【００３４】
続いて、電力管理装置１０は、設定変更命令をエアコン４１に送信する。例えば、電力管理装置１０は、設定温度を「２２℃」に変更する設定変更命令をエアコン４１に送信する（Ｓ１０３）。エアコン４１は、電力管理装置１０から設定変更命令を受信すると、設定変更動作を開始する前に応答を返す（Ｓ１０４）。エアコン４１は、設定変更命令に対する応答を返した後に、設定温度を「２５℃」から「２２℃」に変更する動作を開始する。
【００３５】
電力管理装置１０は、エアコン４１から、設定変更命令への応答を受信すると、設定情報取得命令をエアコン４１に送信し（Ｓ１０５）、設定情報取得命令への応答をエアコン４１から受信する（Ｓ１０６）。電力管理装置１０は、エアコン４１から、設定温度が「２２℃」であるという応答を受信するまで、すなわち、エアコン４１の設定変更動作が完了するまで、エアコン４１からの設定情報の取得を繰り返す（Ｓ１０５〜Ｓ１１２）。
【００３６】
図４に示す例においては、３回目までの応答（Ｓ１０６、Ｓ１０８、Ｓ１１０）においては、電力管理装置１０は、エアコン４１の設定温度が「２５℃」であるとの応答を受信し、４回目の応答（Ｓ１１２）において、電力管理装置１０は、エアコン４１の設定温度が「２２℃」であるとの応答を受信する。
【００３７】
電力管理装置１０の制御部１２０は、設定変更命令（Ｓ１０３）から応答（Ｓ１０４）までの時間を、設定変更命令応答時間として記憶部１３０に記憶する。また、制御部１２０は、設定変更命令への応答（Ｓ１０４）から設定情報取得命令（Ｓ１１１）までの時間を、情報取得可能時間として記憶部１３０に記憶する。図２に示す例においては、電気機器Ａのアイドル中における設定変更命令応答時間は１秒であり、情報取得可能時間は１５秒である。
【００３８】
図５は、第２の例（電気機器Ｂ）における設定変更命令応答時間及び情報取得可能時間を測定する様子を示す図である。図５においては、電気機器Ｂがエアコン４１である場合を例として説明する。
【００３９】
電力管理装置１０は、まず、現状の設定状態を取得するためエアコン４１に対して設定情報取得命令を送信する。例えば、電力管理装置１０は、エアコン４１に対し、設定温度の情報を要求する（Ｓ２０１）。エアコン４１は、電力管理装置１０からの設定情報取得命令に対し、応答を返す。例えば、エアコン４１は、電力管理装置１０に対し、設定温度が「２５℃」であるとの情報を送信する（Ｓ２０２）。
【００４０】
続いて、電力管理装置１０は、設定変更命令をエアコン４１に送信する。例えば、電力管理装置１０は、設定温度を「２２℃」に変更する設定変更命令をエアコン４１に送信する（Ｓ２０３）。エアコン４１は、電力管理装置１０から設定変更命令を受信すると、設定温度を「２５℃」から「２２℃」に変更する動作を実行し、設定変更が完了すると、電力管理装置１０に応答を返す（Ｓ２０４）。
【００４１】
電力管理装置１０は、エアコン４１から、設定変更命令への応答を受信すると、設定情報取得命令をエアコン４１に送信し（Ｓ２０５）、設定情報取得命令への応答をエアコン４１から受信する（Ｓ２０６）。
【００４２】
図５に示す例においては、１回目の応答（Ｓ２０６）において、電力管理装置１０は、エアコン４１の設定温度が「２２℃」であるとの応答を受信する。
【００４３】
電力管理装置１０の制御部１２０は、設定変更命令（Ｓ２０３）から応答（Ｓ２０４）までの時間を、設定変更命令応答時間として記憶部１３０に記憶する。また、制御部１２０は、設定変更命令への応答（Ｓ２０４）から設定情報取得命令（Ｓ２０５）までの時間を、情報取得可能時間として記憶部１３０に記憶する。図２に示す例においては、電気機器Ｂのアイドル中における設定変更命令応答時間は８秒であり、情報取得可能時間は０．１秒である。
【００４４】
図６は、第３の例（電気機器Ｃ）における設定変更命令応答時間及び情報取得可能時間を測定する様子を示す図である。図６においては、電気機器Ｃがエアコン４１である場合を例として説明する。
【００４５】
電力管理装置１０は、まず、現状の設定状態を取得するためエアコン４１に対して設定情報取得命令を送信する。例えば、電力管理装置１０は、エアコン４１に対し、設定温度の情報を要求する（Ｓ３０１）。エアコン４１は、電力管理装置１０からの設定情報取得命令に対し、応答を返す。例えば、エアコン４１は、電力管理装置１０に対し、設定温度が「２５℃」であるとの情報を送信する（Ｓ３０２）。
【００４６】
続いて、電力管理装置１０は、設定変更命令をエアコン４１に送信する。例えば、電力管理装置１０は、設定温度を「２２℃」に変更する設定変更命令をエアコン４１に送信する（Ｓ３０３）。エアコン４１は、電力管理装置１０から設定変更命令を受信すると、設定温度を「２５℃」から「２２℃」に変更する動作を開始し、設定変更動作が完了する前に応答を返す（Ｓ３０４）。
【００４７】
電力管理装置１０は、エアコン４１から、設定変更命令への応答を受信すると、設定情報取得命令をエアコン４１に送信し（Ｓ３０５）、設定情報取得命令への応答をエアコン４１から受信する（Ｓ３０６）。電力管理装置１０は、エアコン４１から、設定温度が「２２℃」であるという応答を受信するまで、すなわち、エアコン４１の設定変更動作が完了するまで、エアコン４１からの設定情報の取得を繰り返す（Ｓ３０５〜Ｓ３１０）。
【００４８】
図６に示す例においては、２回目までの応答（Ｓ３０６、Ｓ３０８）においては、電力管理装置１０は、エアコン４１の設定温度が「２５℃」であるとの応答を受信し、３回目の応答（Ｓ３１０）において、電力管理装置１０は、エアコン４１の設定温度が「２２℃」であるとの応答を受信する。
【００４９】
電力管理装置１０の制御部１２０は、設定変更命令（Ｓ３０３）から応答（Ｓ３０４）までの時間を、設定変更命令応答時間として記憶部１３０に記憶する。また、制御部１２０は、設定変更命令への応答（Ｓ３０４）から設定情報取得命令（Ｓ３０９）までの時間を、情報取得可能時間として記憶部１３０に記憶する。図２に示す例においては、電気機器Ｃのアイドル中における設定変更命令応答時間は５秒であり、情報取得可能時間は９秒である。
【００５０】
電力管理装置１０は、設定変更命令応答時間及び情報取得可能時間として、平均値を記憶部１３０に記憶する場合、図４〜図６に示すような処理を複数回繰り返し、その平均値を記憶部１３０に記憶させる。
【００５１】
また、電力管理装置１０は、電力管理装置１０に接続された電機機器毎及び電気機器の状態毎に、図４〜図６に示すような処理を実行し、電機機器毎及び電気機器の状態毎に設定変更命令応答時間及び情報取得可能時間を記憶部１３０に記憶させる。
【００５２】
続いて、図７に示すフローチャートを参照しながら、本発明の一実施形態に係る電力管理装置１０の動作の一例について説明する。なお、電力管理装置１０は、接続されている電気機器の情報（ＩＰアドレスなど）は予め取得しているものとする。
【００５３】
電力管理装置１０の制御部１２０は、情報を取得する電気機器の情報を指定する。指定する情報は、ＩＰアドレス、ＭＡＣアドレス、機器種別、機器ＩＤなどである（ステップＳ４０１）。
【００５４】
制御部１２０は、通信部１１０を介して、指定した電気機器の状態取得を要求する（ステップＳ４０２）。
【００５５】
制御部１２０は、電気機器の状態（アイドル中／動作中／エラー中）、及び、電気機器の設定情報を記憶する（ステップＳ４０３）。
【００５６】
制御部１２０は、通信部１１０を介して、指定した電気機器への設定変更命令を送信する（ステップＳ４０４）。
【００５７】
制御部１２０は、設定変更命令に対する電気機器からの応答時間を、設定変更命令応答時間として記憶部１３０に記憶する（ステップＳ４０５）。
【００５８】
制御部１２０は、通信部１１０を介して、電気機器に対し設定情報取得命令を送信する（ステップＳ４０６）。
【００５９】
制御部１２０は、電気機器から取得した情報に基づいて、電気機器の設定変更が完了しているか否かを判定する（ステップＳ４０７）。
【００６０】
ステップＳ４０７においてＮｏと判定した場合、制御部１２０は、取得要求回数及び応答時間を記憶部１３０に記憶して、再度、ステップＳ４０６に戻る（ステップＳ４０８）。
【００６１】
ステップＳ４０７においてＹｅｓと判定した場合、制御部１２０は、取得要求回数、応答時間及び設定変更情報を記憶部１３０に記憶する（ステップＳ４０９）。
【００６２】
［情報端末による制御］
これまで、電力管理装置１０自体が、電力管理装置１０に接続されている電気機器の情報を取得する場合を説明したが、電力管理装置１０に情報端末が接続されており、情報端末が、電力管理装置１０に電気機器の情報（設定変更命令応答時間、情報取得可能時間）を取得させてもよい。この場合の構成を図８に示す。図８に示す構成は、情報端末５０が電力管理装置１０に接続されている点で、図１の構成と異なる。情報端末５０は、例えば、スマートフォンやタブレットなどである。
【００６３】
図８に示す構成においては、情報端末５０が電力管理装置１０を制御して、電力管理装置１０が、電力管理装置１０に接続されている電気機器の情報を取得してもよい。
【００６４】
このように、本実施形態によれば、電力管理装置１０は、電気機器に対する設定変更命令の送信の後、所定時間経過してから、電気機器から当該電気機器の設定情報を取得し、当該所定時間は、過去に設定変更命令を送信してから当該設定変更が反映された設定情報が取得されるまでの時間間隔の実績に基づく値としている。これにより、電力管理装置１０は、電気機器の設定変更動作が完了してから電気機器に設定情報取得命令を送信するため、電力管理装置１０と、電力管理装置１０に接続される機器との間の不要なポーリングを省略することができ、通信のトラフィックを低減することができる。
【００６５】
また、本実施形態によれば、電力管理装置１０が、動作設定モード時に又は定期的に、過去に設定変更命令を送信してから当該設定変更が反映された設定情報が取得されるまでの時間間隔を測定して所定時間を更新することにより、設定変更命令応答時間及び情報取得可能時間の最新の情報を保持することができる。
【００６６】
また、本実施形態によれば、電力管理装置１０が、電気機器毎に異なる所定時間を記憶していることにより、設定情報を取得するまでの時間をきめ細かく制御することができる。
【００６７】
また、本実施形態によれば、電力管理装置１０が、電気機器の状態毎に異なる所定時間を記憶していることにより、設定情報を取得するまでの時間をきめ細かく制御することができる。
【００６８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００６９】
１０  電力管理装置
２０  分電盤
３１  太陽光発電装置
３２  燃料電池装置
４１  エアコン
４２  床暖房装置
４３  照明装置
５０  情報端末
１１０  通信部
１２０  制御部
１３０  記憶部
【図１】
2016010196.tif 000003
【図２】
2016010196.tif 000004
【図３】
2016010196.tif 000005
【図４】
2016010196.tif 000006
【図５】
2016010196.tif 000007
【図６】
2016010196.tif 000008
【図７】
2016010196.tif 000009
【図８】
2016010196.tif 000010